(57)【特許請求の範囲】
【請求項１】
複数の印刷手段を、それぞれの印刷胴が平行になるように積み重ねた多重印刷ユニットを少なくとも１つ含む複数の印刷ユニットと少なくとも１つの折畳ユニットとが印刷胴の軸方向に一列に並べられていると共に、該印刷ユニットの列と軸線が平行になるよう巻取紙を支持し得る巻取紙支持手段を少なくとも１つ具備した第１給紙ユニットが個別に前記印刷ユニットのそれぞれに対応して、且つ該第１給紙ユニットの列が前記印刷ユニットの列と平行になるように設けられた輪転機において、
前記印刷ユニットの列と軸線が平行になるよう巻取紙を支持し得る巻取紙支持手段を少なくとも１つ備え、前記多重印刷ユニットに対応する第１給紙ユニットと対をなすように該第１給紙ユニットの列を間に前記印刷ユニットの列と反対側に設けられた少なくとも１つの第２給紙ユニットと、
前記第１給紙ユニットと前記第２給紙ユニットとに共用できるように該第１給紙ユニットと該第２給紙ユニットとの間に前記印刷ユニットの列と平行に直線状に設けられた巻取紙搬送路及び該巻取紙搬送路に従って走行する巻取紙運搬手段を具備した巻取紙搬送装置と、
前記第１給紙ユニットと前記第２給紙ユニットとのそれぞれに個別に対応すると共に巻取紙搬送路に臨ませて設けられた巻取紙着脱ステーションと
を具備した輸転機。
【請求項２】
第２給紙ユニットが、巻取紙搬送路と平行に設けた給紙ユニット移動路に従って移動可能に、且つ多重印刷ユニットに対応させて予め定めた各停止位置に停止・位置決め可能に設けられていると共に、前記第２給紙ユニットのための巻取紙着脱ステーションが該第２給紙ユニットの各停止位置に対応させて設けられた請求項１に記載の輪転機。
【発明の詳細な説明】
【０００１】
【発明の属する技術分野】
この発明は、印刷手段を積み重ねた多重印刷ユニットを有すると共に、当該多重印刷ユニットが複数の連続紙に対し印刷可能である輪転機に関する。
【０００２】
【従来の技術】
従来技術における印刷手段を積み重ねた多重印刷ユニットについては、設置面積が小さい多色印刷装置として、例えば、特公平７−７３９０８号公報に開示されており、それは、特に、新聞の多色面の増加に従って、新聞印刷において著しい普及を見せている。
【０００３】
特公平７−７３９０８号公報に開示されている印刷装置は、版胴とブランケット胴との組合せを２組備え、夫々のブランケット胴が接触可能に配設され、版胴上の画像をブランケット面を介して連続紙の両面に同時に印刷し得る印刷手段を、高さ方向に４つ積み重ねた構成を有し、連続紙を順次４つの印刷手段のブランケット胴間に通し、当該連続紙の両面に４色の印刷画像を重ね刷りするものである。
【０００４】
また、上記の印刷装置は、４つの印刷手段のうちの少なくとも１つの印刷手段に１つの連続紙を通して印刷すると共に、他の印刷手段の少なくとも１つに他の連続紙を通して印刷する等、１つの多重印刷ユニットで２以上の連続紙に同時に印刷することも可能である。
【０００５】
ところで、１つの多重印刷ユニットで２以上の連続紙に同時に印刷することを可能にするためには、１つの多重印刷ユニットに２以上の連続紙を同時に供給することが可能である必要がある。そのための具体的な構成をもつ輪転機は、例えば、特公平８−４５１号公報、特許第２５７７３０９号公報及び特開平１０−２９６９４６号公報に開示されている。
【０００６】
特公平８−４５１号公報、特許第２５７７３０９号公報及び特開平１０−２９６９４６号公報に開示されている輪転機は、印刷手段を高さ方向に積み重ねた構成をもつ複数の多重印刷ユニットと、これら多重印刷ユニットで印刷された連続紙を重ね合わせた上、それを切断し折畳む１つの折畳装置とが同一レベルに設けられていると共に、印刷装置と折畳装置との下方に少なくとも印刷装置の２倍の数の給紙装置が設けられ、各印刷装置に２以上の連続紙を供給してこれらの連続紙に同時に印刷することが可能である輪転機である。
【０００７】
そして、特公平８−４５１号公報に開示されている輪転機においては、巻取紙支持装置は、巻取紙の軸線を印刷ユニットの並びと平行の状態で巻取紙を支持することが可能な給紙ユニットが具備されていると共に、１つの多重印刷ユニットに対応した互いに近接した２つの給紙ユニットをもつ構造物が印刷ユニットの並びに沿って並ぶように設置されている。
【０００８】
また、特許第２５７７３０９号公報に開示されている輪転機においては、巻取紙支持装置は、巻取紙の軸線を印刷ユニットの並びと直角の状態に支持できるように給紙ユニットが設けられていると共に、１つの多重印刷ユニットのための２つ重ね合わされた給紙ユニットの構造物が印刷ユニットの並びに沿って並ぶように設置されている。
【０００９】
なお、特開平１０−２９６９４６号公報に開示されている輪転機は、給紙ユニットについての詳細な構成が明らかではないが、図１には、特許第２５７７３０９号公報に開示されている輪転機の巻取紙支持装置と類似した巻取紙支持装置が示されている。
【００１０】
【発明が解決しようとする課題】
上記の従来の技術における特公平８−４５１号公報に開示されている輪転機では、巻取紙支持装置に支持させる巻取紙を搬送する巻取紙搬送手段の巻取紙搬送路を、１つの多重印刷ユニットのための２つの給紙ユニットそれぞれについて別個に設ける必要があり、前記給紙ユニットを２つ互いに近接させた構造物の列に沿って当該列の両側に巻取紙搬送路を設けるための平面スペースが必要であり、大きな平面設置スペースが必要であると共に、巻取紙搬送路機構も２列分必要であり、設備費用が嵩むと共に、保守費用も嵩むものである。
【００１１】
また、特許第２５７７３０９号公報に開示されている輪転機では、巻取紙支持装置に支持させる巻取紙を搬送する巻取紙搬送路を、１つの多重印刷ユニットのための２つの給紙ユニットを重ね合わせた構造物ごとに又は当該構造物の隣り合う２つに対して巻取紙搬送路を１つずつ設けると共に、これら巻取紙搬送路が合流する巻取紙搬送路を少なくとも１つ設ける必要があり、巻取紙搬送路の構成が複雑になり、設備費用が嵩むと共に、保守費用も嵩むものである。
【００１２】
なお、特開平１０−２９６９４６号公報に開示されている輪転機においても、その構造の類似を考えれば、前記特許第２５７７３０９号公報に開示されている輪転機と同様の問題点の存在が否定できない。
また、印刷手段を積み重ねた多重印刷ユニットは、既述のように、本来は積み重ねた印刷手段ごとに相違するインキを使用して、積み重ねた印刷手段の数と等しい数のインキを使用した多色印刷するものであり、多重印刷ユニットを複数有する輪転機を使用した印刷稼動において、多重印刷ユニットのすべてに複数の連続紙を通して印刷稼動を行うことはまずあり得ない。
【００１３】
従って、特公平８−４５１号公報、特許第２５７７３０９号公報及び特開平１０−２９６９４６号公報に開示されている輪転機のように、多重印刷ユニットにごとに給紙ユニットが２つずつ設けられた構成では、印刷稼働中に休止する給紙ユニットが必ず生じ、無駄であると共に、その保守も必要となり、それだけ余分な保守資材及び労力を要するものである。
【００１４】
この発明は、複数の印刷手段をそれぞれの版胴が平行になるように積み重ねた多重印刷ユニットを少なくとも１つ含む複数の印刷ユニットを列状に並べると共に、多重印刷ユニットが複数の連続紙に印刷し得るように、第１給紙ユニットの他に多重印刷ユニットに対応する第２給紙ユニットを具備した輪転機において、１つの多重印刷ユニットのための２つの給紙ユニットのそれぞれに巻取紙を供給するための巻取紙搬送路を、必要最小限の平面スペースに最短且つ単純な配置で設けた、設備費用及び保守費用の嵩まない巻取紙搬送路を有する輪転機を提供することを目的とするものである。
【００１５】
更に、必要最小限の平面スペースに最短且つ単純な配置で巻取紙搬送路が設けられた輪転機において、多重印刷ユニットのすべてに対応させて第２給紙ユニットを設ける無駄をなくし、しかも、所望の多重印刷ユニットに第１給紙ユニットと第２給紙ユニットの双方から連続紙を供給し、両連続紙に印刷することが可能な輪転機を提供することを目的とするものである。
【００１６】
【課題を解決するための手段】
この発明の輪転機は、複数の印刷手段を、それぞれの印刷胴が平行になるように積み重ねた多重印刷ユニットを少なくとも１つ含む複数の印刷ユニットと少なくとも１つの折畳ユニットとが印刷胴の軸方向に一列に並べられていると共に、印刷ユニットの列と軸線が平行になるよう巻取紙を支持し得る巻取紙支持手段を少なくとも１つ具備した第１給紙ユニットが個別に印刷ユニットのそれぞれに対応して、且つ第１給紙ユニットの列が印刷ユニットの列と平行になるように設けられた輪転機であって、印刷ユニットの列と軸線が平行になるよう巻取紙を支持し得る巻取紙支持手段を少なくとも１つ備え、多重印刷ユニットに対応する第１給紙ユニットと対をなすように第１給紙ユニットの列を間に印刷ユニットの列と反対側に設けられた少なくとも１つの第２給紙ユニットと、第１給紙ユニットと第２給紙ユニットとに共用できるように第１給紙ユニットと第２給紙ユニットとの間に印刷ユニットの列と平行に直線状に設けられた巻取紙搬送路及び巻取紙搬送路に従って走行する巻取紙運搬手段を具備した巻取紙搬送装置と、第１給紙ユニットと第２給紙ユニットとのそれぞれに個別に対応すると共に巻取紙搬送路に臨ませて設けられた巻取紙着脱ステーションとを具備している。
【００１７】
そして、第２給紙ユニットが、巻取紙搬送路と平行に設けた給紙ユニット移動路に従って移動可能に、且つ多重印刷ユニットに対応させて予め定めた各停止位置に停止・位置決め可能に設けられていると共に、前記第２給紙ユニットのための巻取紙着脱ステーションが第２給紙ユニットの各停止位置に対応させて設けられていてもよい。
【００１８】
上記の構成の輸転機においては、輸転機での印刷稼動を行うに先立ち、１つの連続紙に印刷する多重印刷ユニットと、２つの連続紙に印刷する多重印刷ユニットとを定め、１つの連続紙に印刷する多重印刷ユニットには、第１給紙ユニットから積み重ねた印刷手段のうちの所望の印刷手段を順次経由するように紙通しし、２つの連続紙に印刷する多重印刷ユニットには、第１給紙ユニット及び第２給紙ユニットから、それぞれ積み重ねた印刷手段のうちの所望の印刷手段を順次経由するように紙通しし、更に、折畳ユニットに至る間に所望の順序に重ね合わせられるように折畳ユニットまで紙通しする。紙通しが終了したのち、輪転機を稼動し、各印刷ユニットによって印刷された印刷紙を所望の重ね合わせ位置に重ね合わせた印刷物を生産する。
【００１９】
各給紙ユニットに巻取紙を供給するときは、巻取紙運搬手段に巻取紙を積載し、印刷ユニットの列に沿って第１給紙ユニットの側部に設けた巻取紙搬送路に従って走行させ、巻取紙搬送路に臨ませて設けた巻取紙着脱ステーションに至らせる。そして、当該巻取紙着脱ステーションにおいて、巻取紙運搬手段から巻取紙支持手段に巻取紙を引き渡して支持させる。
【００２０】
第２給紙ユニットが、巻取紙搬送路と平行に設けられた給紙ユニット移動路に従って移動可能な形式においては、まず、巻取紙搬送路と平行に設けられた給紙ユニット移動路に従って第２給紙ユニットが移動させられ、印刷後の連続紙の重ね合わせを勘案して予め定められた、２つの連続紙に印刷する多重印刷ユニットに対応する停止位置に停止・位置決めされる。
【００２１】
続いて、１つの連続紙に印刷する多重印刷ユニットには、第１給紙ユニットから積み重ねた印刷手段のうちの所望の印刷手段を順次経由するように紙通しされ、２つの連続紙に印刷する多重印刷ユニットには、第１給紙ユニット及び第２給紙ユニットから、それぞれ積み重ねた印刷手段のうちの所望の印刷手段を順次経由するように紙通しされ、更に、折畳ユニットに至る間に所望の順序に重ね合わせられるように折畳ユニットまで紙通しされる。紙通しが終了したのち、輪転機が稼動されることにより、各印刷ユニットによって印刷された印刷紙が所望の重ね合わせ位置に重ね合わされた印刷物が生産される。
【００２２】
各給紙ユニットに巻取紙を供給するときは、巻取紙運搬手段に巻取紙を積載し、その巻取紙運搬手段を印刷ユニットの列に沿って第１給紙ユニットの側部に設けた巻取紙搬送路に従って走行させ、巻取紙搬送路に臨ませて設けた巻取紙着脱ステーションに至らせる。そして、当該巻取紙着脱ステーションにおいて、巻取紙運搬手段から巻取紙支持手段に巻取紙を引き渡して支持させる。
【００２３】
【発明の実施の形態】
この発明の実施の形態における印刷手段を積み重ねた印刷ユニットを有する輪転機を図面に従って説明する。
図１（この発明の第１実施形態を示す）、図２（この発明の第２実施形態を示す）及び図３（この発明の第３実施形態を示す）において、輪転機１は、印刷ユニット１１、第１給紙ユニット１２Ａ、第２給紙ユニット１２Ｂ、折畳ユニット１３、巻取紙搬送装置１５及び巻取紙着脱ステーション１６を具備している。
【００２４】
印刷ユニット１１は、それらの印刷胴ＰＣの軸線方向に複数（図示の例では６つ）配列されて設置されており、各印刷ユニット１１は、複数（図示の例では、４つ）の印刷手段ＰＡが積み重ねられた多重印刷ユニット１１Ｍであり、複数の多重印刷ユニット１１Ｍの印刷手段ＰＡは、それぞれの印刷胴ＰＣが互に且つ印刷ユニット１１の列と平行になるように積み重ねられている。
印刷ユニット１１は、すべてが多重印刷ユニット１１Ｍである必要はなく、少なくとも１つの印刷ユニット１１が多重印刷ユニット１１Ｍであれよい。また、多重印刷ユニット１１Ｍの印刷手段ＰＡの数は、２つ以上であればよい。
【００２５】
第１給紙ユニット１２Ａは、各印刷ユニット１１に第１連続紙Ｗ１を供給可能であるように、各印刷ユニット１１のそれぞれに対応して印刷ユニット１１と同数配列されて設置されており、各第１給紙ユニット１２Ａは、第１連続紙Ｗ１の供給源である第１巻取紙ＷＲ１を支持し得る巻取紙支持手段ＲＨを少なくとも１つ具備しており、巻取紙支持手段ＲＨに支持された巻取紙ＷＲ１の軸線が前記印刷ユニット１１の列と平行になるように、且つ、第１給紙ユニット１２Ａの列が印刷ユニット１１の列と平行になるように設置されている。
【００２６】
第２給紙ユニット１２Ｂは、第１給紙ユニット１２Ａ列を間に印刷ユニット１１列と反対側に、適宜の第１給紙ユニット１２Ａに対応して対となって、１つ乃至多重印刷ユニット１１Ｍと同じ数（図１の第１実施形態参照）だけ設けられており、巻取紙搬送装置１５の通過が可能であるように第１給紙ユニット１２Ａの巻取紙支持手段ＲＨの軸線と第２給紙ユニット１２Ｂの巻取紙支持手段ＲＨの軸線との最小間隔が当該輪転機で使用する巻取紙ＷＲの最大直径の２倍より更に大きな数値の予め定めた間隔を隔てて位置している。（図５参照）
【００２７】
各第２給紙ユニット１２Ｂは、多重印刷ユニット１１Ｍに第２連続紙Ｗ２を供給し得るように、第２連続紙Ｗ２の供給源である第２巻取紙ＷＲ２を支持し得る巻取紙支持手段ＲＨを少なくとも１つ具備しており、巻取紙支持手段ＲＨに支持された巻取紙ＷＲ２の軸線が前記印刷ユニット１１の列と平行になるように、且つ、第２給紙ユニット１２Ｂの列が印刷ユニット１１の列と平行になるように設けられている。
【００２８】
図３に示す第３実施形態のように、１乃至複数（図示の例では３つ）の第２給紙ユニット１２Ｂが、印刷ユニット１１の列及び第１給紙ユニット１２Ａの列と平行に設置された給紙ユニット移動路１２Ｇに従って移動可能に設けられていてもよい。
【００２９】
給紙ユニット移動路１２Ｇには、各多重印刷ユニット１１Ｍと対応する位置に第２給紙ユニット１２Ｂの停止位置が設定されており、各停止位置には、第２給紙ユニット１２Ｂと共同してこれを位置決めする停止位置決め手段（図示しない）が設けられている。そして、第２給紙ユニット１２Ｂは、各停止位置において多重印刷ユニット１１Ｍに対応する第１給紙ユニット１２Ａと対をなすようになっている。
【００３０】
折畳ユニット１３は、印刷ユニット１１列の適宣の位置に印刷ユニット１１と並べて設けられている。図示の例では、折畳ユニット１３は、折畳ユニット１３の図示しない回転胴の軸線が印刷ユニット１１の印刷胴ＰＣの軸線と平行になるように、且つ印刷ユニット１１列の中央部に設けられている。図４に示すように、折畳ユニット１３は、印刷ユニット１１との間に、印刷後の連続紙Ｗを所望の重ね合わせ順に重ね合わせるための紙通し径路、所謂ネスト１３Ｎを有している。
【００３１】
巻取紙搬送装置１５は、第１給紙ユニット１２Ａ列と第２給紙ユニット１２Ｂとの間に印刷ユニット１１の列と平行になるように設けられた巻取紙搬送路１５Ｇ及び当該巻取紙搬送路１５Ｇに従って走行可能な巻取紙運搬手段１５Ｖを具備している。巻取紙搬送路１５Ｇの一端には、巻取紙ＷＲを保管する紙庫ＰＳに隣接する巻取紙受領経路ＲＲが設けられており、又、必要に応じて、巻取紙搬送路１５Ｇの他端に巻取紙運搬手段１５Ｖの待避経路ＶＷも併設されている。
【００３２】
巻取紙運搬手段１５Ｖは、巻取紙ＷＲが積載可能であると共に、巻取紙ＷＲを積載したまま昇降可能である巻取紙積載部１５Ｃを具備し、巻取紙ＷＲを巻取紙積載部１５Ｃに積載して巻取紙搬送路１５Ｇに従って走行し、巻取紙着脱ステーション１６に至り得るようになっている。
【００３３】
そして、巻取紙運搬手段１５Ｖは、消費済の巻取紙ＷＲの残芯ＷＣを巻取紙支持手段ＲＨから受領する残芯受領部（図示しない）を具備しており、巻取紙支持手段ＲＨに新たな巻取紙ＷＲを供給するに先立ち、巻取紙支持手段ＲＨに残っている消費済の巻取紙ＷＲの残芯ＷＣを残芯受領部で受領し、新たな巻取紙ＷＲを巻取紙支持手段ＲＨに供給した後、残芯受領部で受領した残芯ＷＣを巻取紙積載部１５Ｃに移して、巻取紙受領経路ＲＲに持ち帰るようになっている。
【００３４】
巻取紙着脱ステーション１６は、巻取紙搬送装置１５の巻取紙搬送路１５Ｇに臨み、且つ第１給紙ユニット１２Ａと第２給紙ユニット１２Ｂとのそれぞれと個別に対応して、少なくとも第１給紙ユニット１２Ａ及び第２給紙ユニット１２Ｂの総数と同数設けられている。
図３に示す第３実施形態では、巻取紙着脱ステーション１６は、第２給紙ユニット１２Ｂに併設された給紙ユニット移動路１２Ｇにおける第２給紙ユニット１２Ｂの停止位置のそれぞれに対応する位置に設けられている。
【００３５】
各巻取紙着脱ステーション１６は、巻取紙ＷＲを軸線が印刷ユニット１１の列と平行に積載した巻取紙運搬手段１５Ｖが、第１給紙ユニット１２Ａ及び第２給紙ユニット１２Ｂに対向した位置でそのまま、巻取紙搬送路１５Ｇに垂直方向に移動し、第１給紙ユニット１２Ａ及び第２給紙ユニット１２Ｂに対し、巻取紙支持手段ＲＨとの間で巻取紙ＷＲを受け渡し可能な程度に接近し、又、巻取紙搬送路１５Ｇに戻り得るような構成で設けられている。
【００３８】
以上、実施の形態を示す図を参照して説明したように、各給紙ユニット１２に巻取紙ＷＲを供給するべく巻取紙運搬手段１５Ｖを走行させる巻取紙搬送路１５Ｇが、第１給紙ユニット１２Ａと第２給紙ユニット１２Ｂとに共用できるように、印刷ユニット１１の列に沿うと共に第１給紙ユニット１２Ａと第２給紙ユニット１２Ｂとの間に直線状に設けられており、それにより、装置設置平面スペースが必要最小限化されると共に、形状が単純化されている。
【００３９】
さらに、第３実施形態の輪転機１では、個別の印刷稼動ごとに、第２給紙ユニット１２Ｂを必要とする多重印刷ユニット１１Ｍに対応する位置に第２給紙ユニット１２Ｂが移動可能に設けられ、第２給紙ユニット１２Ｂの数が必要最小限にとどめられている。
【００４０】
次に、以上記載の構成による動作を説明する。
まず、輪転機１の印刷稼動を行うのに先立ち、第１連続紙Ｗ１のみに印刷する多重印刷ユニット１１Ｍと、第１連続紙Ｗ１及び第２連続紙Ｗ２に印刷する多重印刷ユニット１１Ｍとを定める。
【００４１】
第１実施形態の輪転機１では、６つの多重印刷ユニット１１Ｍの中から第１連続紙Ｗ１及び第２連続紙Ｗ２に印刷する多重印刷ユニット１１Ｍが任意に選択される。
第２実施形態の輪転機１では、第２給紙ユニット１２Ｂを設けた多重印刷ユニット１１Ｍが、第１連続紙Ｗ１及び第２連続紙Ｗ２に印刷する多重印刷ユニット１１Ｍとして選択される。
【００４２】
第３実施形態の輪転機１では、巻取紙搬送路ＲＲと平行に設けた給紙ユニット移動路１２Ｇに従って第２給紙ユニット１２Ｂを移動させ、予め定めた、第１連続紙Ｗ１及び第２連続紙Ｗ２に印刷する多重印刷ユニット１１Ｍに対応する、給紙ユニット移動路１２Ｇにおける停止位置に停止させ、図示しない停止位置決め手段によって位置決めする。
【００４３】
そして、第１連続紙Ｗ１のみに印刷する多重印刷ユニット１１Ｍには、この多重印刷ユニット１１Ｍと対応する第１給紙ユニット１２Ａに支持された第１巻取紙ＷＲ１から第１連続紙Ｗ１を引き出して、多重印刷ユニット１１Ｍの各印刷手段ＰＡを順次経由するように紙通しし、第１連続紙Ｗ１及び第２連続紙Ｗ２に印刷する多重印刷ユニット１１Ｍには、この多重印刷ユニット１１Ｍと対応する第１給紙ユニット１２Ａに支持された第１巻取紙ＷＲ１から第１連続紙Ｗ１を引き出して、同じく第２給紙ユニット１２Ｂに支持された第２巻取紙ＷＲ２から第２連続紙Ｗ２を引き出して、多重印刷ユニット１１Ｍの印刷手段ＰＡにおける夫々の所望の印刷手段ＰＡを順次経由するように紙通しする。
【００４４】
そして、第１・第２実施形態の輪転機１では、選択された多重印刷ユニット１１Ｍと対応する第２給紙ユニット１２Ｂに支持された第２巻取紙ＷＲ２から第２連続紙Ｗ２を引き出して、多重印刷ユニット１１Ｍの印刷手段ＰＡのうちの所望の印刷手段ＰＡを順次経由するように紙通しする。
第３実施形態の輪転機１では、選択された多重印刷ユニット１１Ｍと対応する停止位置に位置決めされた第２給紙ユニット１２Ｂに支持された第２巻取紙ＷＲ２から第２連続紙Ｗ２を引き出して、多重印刷ユニット１１Ｍの印刷手段ＰＡのうちの所望の印刷手段ＰＡを順次経由するように紙通しする。
【００４５】
次いで、印刷ユニット１１を通過した各連続紙Ｗをネスト１３Ｎによって所望の順序に重ね合わせるべく上下順序を入れ替え、更に、順次重ねあわせて折畳ユニット１３まで紙通しする。紙通しが終了したのち、輪転機１を稼動し、各印刷ユニット１１によって印刷された連続紙Ｗを所望の重ね合わせ位置に重ね合わせた印刷物を生産する。
【００４６】
また、印刷稼動に先立って又は印刷稼動による巻取紙ＷＲの消尽に応じて、各給紙ユニット１２に巻取紙ＷＲを供給する。各給紙ユニット１２に巻取紙ＷＲを供給するときは、巻取紙搬送装置１５の巻取紙運搬手段１５Ｖを紙庫ＰＳに隣接する巻取紙受領経路ＲＲに立ち寄らせ、巻取紙運搬手段１５Ｖの巻取紙積載部１５Ｃに巻取紙ＷＲを積載し、印刷ユニット１１の列に沿って第１給紙ユニット１２Ａと第２給紙ユニット１２Ｂの間に設けた巻取紙搬送路１５Ｇに従って走行させ、巻取紙搬送路１５Ｇに臨ませて各給紙ユニット１２に対応させて設けた巻取紙着脱ステーション１６に至らせる。
【００４７】
第３実施形態の輪転機１では、巻取紙運搬手段１５Ｖを各給紙ユニット１２に対応させて設けられた前記巻取紙着脱ステーション１６又は第２給紙ユニット１２Ｂが位置決めされた停止位置に対応させて設けられた巻取紙着脱ステーション１６に至らせる。
【００４８】
巻取紙運搬手段１５Ｖは、巻取紙着脱ステーション１６に至ると、新たな巻取紙ＷＲを供給しようとする巻取紙支持手段ＲＨに消費した巻取紙ＷＲの残芯ＷＣがあるときは、この残芯ＷＣを図示しない残芯受領部に受領したのち新たな巻取紙ＷＲを供給する。供給に際しては、巻取紙積載部１５Ｃを上昇させて新たな巻取紙ＷＲの中心部を巻取紙支持手段ＲＨの中心に合わせ、新たな巻取紙ＷＲの中心部を巻取紙支持手段ＲＨで両側から挟ませる。
【００４９】
そして、巻取紙運搬手段１５Ｖは、新たな巻取紙ＷＲを巻取紙支持手段ＲＨに供給したのち、巻取紙積載部１５Ｃを降下させ、残芯受領部で受領した残芯ＷＣを巻取紙積載部１５Ｃに移して、巻取紙受領経路ＲＲに戻る。巻取紙受領経路ＲＲへ戻るときに、巻取紙受領経路ＲＲから遠い位置の給紙ユニット１２に新たな巻取紙ＷＲの供給要求がある場合には、巻取紙運搬手段１５Ｖは、一旦待避経路ＶＷに待避して給紙ユニット１２への新たな巻取紙ＷＲの供給を妨げない。
【００５０】
【発明の効果】
この発明によれば、複数の印刷手段をそれぞれの版胴が平行になるように積み重ねた多重印刷ユニットを少なくとも１つ含む複数の印刷ユニットを列状に並べると共に、当該印刷ユニットの列と軸線が平行になるよう巻取紙を支持可能な巻取紙支持手段を少なくとも１つ具備した第１給紙ユニットを印刷ユニットのそれぞれに対応して個別に設けた輪転機において、１つの多重印刷ユニットのための２つの給紙ユニットのそれぞれに巻取紙を供給するための巻取紙搬送路を、必要最小限の平面スペースに最短かつ単純な配置で設けることができ、従来の同様な輪転機に比べ、巻取紙搬送路に関し、設備費用及び保守費用を低減することができる。
【００５１】
また、第２給紙ユニットを給紙ユニット移動路に従って移動可能にした構成では、更に次のような効果が加わる。即ち、個別の印刷稼動ごとに、印刷後の印刷紙の重ね合わせに応じて第２給紙ユニットを必要とする２つの連続紙に印刷する多重印刷ユニットを選択し、この第２給紙ユニットを必要とする多重印刷ユニットに対応する位置に第２給紙ユニットを移動することができるので、多重印刷ユニットのすべてに対応させて第２給紙ユニットを設ける無駄をなくなくすことができる上、印刷後の印刷紙の重ね合わせを所望の重ね合わせとするための特別の紙通し経路を設ける無駄をなくなくすことができ、紙通し作業の単純化による効率向上と紙通し経路の保守点検作業を低減することができる。
【図面の簡単な説明】
【図１】  この発明の第１実施形態における輪転機の平面図である。
【図２】  この発明の第２実施形態における輪転機の平面図である。
【図３】  この発明の第３実施形態における輪転機の平面図である。
【図４】  図１、図２及び図３におけるIV−IV矢視図である。
【図５】  図１及び図２におけるＶ−Ｖ矢視図である。
【符号の説明】
１  輪転機
１１  印刷ユニット
１１Ｍ  多重印刷ユニット、
１２  給紙ユニット
１２Ａ  第１給紙ユニット
１２Ｂ  第２給紙ユニット
１２Ｇ  給紙ユニット移動路
１３  折畳ユニット
１３Ｎ  ネスト（印刷後の連続紙を所望の重ね合わせ順に重ね合わせ
るための紙通し径路）
１５  巻取紙搬送装置
１５Ｃ  巻取紙積載部
１５Ｇ  巻取紙搬送路
１５Ｖ  巻取紙運搬手段
１６  巻取紙着脱ステーション
ＰＡ  印刷手段
ＰＣ  印刷胴
ＲＨ  巻取紙支持手段
ＲＲ  巻取紙受領経路
ＰＳ  紙庫
ＶＷ  待避経路
Ｗ１  第１連続紙
Ｗ２  第２連続紙
ＷＣ  残芯
ＷＲ  巻取紙
ＷＲ１  第１巻取紙
ＷＲ２  第２巻取紙
【図１】
0003695659.tif 000002
【図２】
0003695659.tif 000003
【図３】
0003695659.tif 000004
【図４】
0003695659.tif 000005
【図５】
0003695659.tif 000006